(57)【要約】【課題】目詰まりを起こした微細孔の目詰まりを容易に解消するミストスプレー装置を提供する。【解決手段】本発明は、複数の微細孔が形成された霧化部を備えた振動板と、振動板を振動させるための振動発生器と、霧化部に液体を供給するための供給部と、を具備し、霧化部に供給された液体が振動板の振動によって霧化されて、噴射されるミストスプレー装置であって、ミストスプレー装置は加温要素をさらに具備し、加温要素は霧化部を加温するために使用されることを特徴とするミストスプレー装置を提供する。【選択図】図２
2015211713.tif 000002
【特許請求の範囲】
【請求項１】
複数の微細孔が形成された霧化部を備えた振動板と、
該振動板を振動させるための振動発生器と、
前記霧化部に液体を供給するための供給部と、を具備し、
前記霧化部に供給された液体が前記振動板の振動によって霧化されて、噴射されるミストスプレー装置であって、
該ミストスプレー装置は加温要素をさらに具備し、該加温要素は前記霧化部を加温するために使用されることを特徴とするミストスプレー装置。
【請求項２】
前記振動発生器は、前記霧化部の周囲に環状に配置されていることを特徴とする請求項１に記載のミストスプレー装置。
【請求項３】
前記加温要素は、前記霧化部の周囲に環状に配置されていることを特徴とする請求項１または２に記載のミストスプレー装置。
【請求項４】
前記振動発生器は、入力電力に応じた振動を発生する圧電素子であることを特徴とする請求項１〜３のいずれか一項に記載のミストスプレー装置。
【請求項５】
前記加温要素はペルチェ素子であることを特徴とする請求項１〜４のいずれか一項に記載のミストスプレー装置。
【請求項６】
前記微細孔は、液体供給側の直径よりもミスト噴出側の直径が大きくなったテーパ状の軸方向断面を有することを特徴とする請求項１〜５のいずれか一項に記載のミストスプレー装置。
【請求項７】
前記微細孔は、液体供給側の直径よりもミスト噴出側の直径が大きくなったステップ状の軸方向断面を有することを特徴とする請求項１〜５のいずれか一項に記載のミストスプレー装置。
【請求項８】
前記微細孔は、液体供給側の直径よりもミスト噴出側の直径が大きくなった指数曲線状の軸方向断面を有することを特徴とする請求項１〜５のいずれか一項に記載のミストスプレー装置。
【請求項９】
前記ミストスプレー装置は化粧用途であり、前記液体は化粧液であることを特徴とする請求項１〜８のいずれか一項に記載のミストスプレー装置。
【請求項１０】
請求項１〜８のいずれか一項に記載のミストスプレー装置と、化粧液と、を含んでいることを特徴とする化粧キット。
【請求項１１】
前記ミストスプレー装置はタンクを含み、前記化粧液は前記タンク内に収容されていることを特徴とする請求項１０に記載の化粧キット。
【請求項１２】
前記化粧液は、前記ミストスプレー装置に搭載可能なケース内に収容されていることを特徴とする請求項１０に記載の化粧キット。
【発明の詳細な説明】
【技術分野】
【０００１】
本発明は、装置内に収容された液体を霧化して、一定の時間連続的に噴射するミストスプレー装置に関する。
【背景技術】
【０００２】
化粧液または純水を霧化して噴射する超音波ミストスプレー装置は、現在では広く使用されている。このミストスプレー装置は、装置内に収容された液体を振動発生器によって霧化している。これらの装置は、非接触の様式において肌に潤いを与え、且つ肌を冷却することが可能である。
【０００３】
特許文献１には、複数の微細孔が形成された振動板を圧電振動子によって振動させることにより、微細孔に供給される美容液や水等の液体を霧化してミストを噴射する装置が開示されている。特許文献２には、圧電素子によって振動部を振動させ、振動部に付着した液体を霧化する装置が開示されている。
【０００４】
このようなタイプの装置は、長時間連続的に使用されることは少なく、短時間の使用が一日に数回、断続的に繰り返されることが多い。すなわち、装置は使用されていない状態が継続することがあり得る。また、装置が長時間使用されない場合も考えられる。このような場合、微細孔内およびその周囲に残留した化粧液は乾燥して、粘性が極端に高くなるか、または結晶化してしまう。その結果、微細孔の目詰まりが生じるという問題が存在している。
【先行技術文献】
【特許文献】
【０００５】
【特許文献１】欧州特許出願第２  ５４８  ６６５号明細書
【特許文献２】特許出願公開第２０１０−２３０３８号公報
【発明の概要】
【発明が解決しようとする課題】
【０００６】
本発明の目的は、目詰まりを起こした微細孔の目詰まりを容易に解消することが可能なミストスプレー装置を提供することである。
【課題を解決するための手段】
【０００７】
上記の課題を解決するために、本発明は、複数の微細孔が形成された霧化部を備えた振動板と、振動板を振動させるための振動発生器と、霧化部に液体を供給するための供給部と、を具備し、霧化部に供給された液体が振動板の振動によって霧化されて、噴射されるミストスプレー装置であって、このミストスプレー装置は加温要素をさらに具備し、加温要素は霧化部を加温するために使用されることを特徴とするミストスプレー装置を提供する。
【０００８】
本発明によるミストスプレー装置は、振動発生器が、霧化部の周囲に環状に配置されてもよく、加温要素が、霧化部の周囲に環状に配置されてもよい。
【０００９】
本発明によるミストスプレー装置は、振動発生器が、入力電力に応じた振動を発生する圧電素子であってもよく、加温要素はペルチェ素子であってもよい。
【００１０】
本発明によるミストスプレー装置は、微細孔が、液体供給側の直径よりもミスト噴出側の直径が大きくなったテーパ状の軸方向断面を有していてもよい。また、微細孔は、液体供給側の直径よりもミスト噴出側の直径が大きくなったステップ状の軸方向断面を有していてもよい。さらに、微細孔は、液体供給側の直径よりもミスト噴出側の直径が大きくなった指数曲線状の軸方向断面を有していてもよい。本発明によるミストスプレー装置は、噴射される液体が化粧液であってもよい。
【００１１】
本発明は、ミストスプレー装置と、化粧液と、を含んだ化粧キットも提供している。一実施形態においては、ミストスプレー装置はタンクを含んでいてもよく、化粧液がそのタンク内に収容されていてもよい。別の実施形態において、化粧液は、ミストスプレー装置に搭載可能なケース内に収容されていてもよい。
【図面の簡単な説明】
【００１２】
【図１】本発明の実施形態によるミスト発生部を具備したミストスプレー装置を示した図である。
【図２】本発明の実施形態によるミスト発生部を拡大した正面図である。
【図３】図２のミスト発生部の線Ａ−Ａに沿った断面を示した図である。
【図４ａ】テーパ形状の軸方向断面を有する微細孔の断面を示した図である。
【図４ｂ】ステップ状の軸方向断面を有する微細孔の断面を示した図である。
【図４ｃ】指数曲線状の軸方向断面を有する微細孔の断面を示した図である。
【発明を実施するための形態】
【００１３】
以下、本発明の実施の形態について、図を用いて詳細に説明する。図１は、本発明の実施形態によるミスト発生部を具備したミストスプレー装置１を示した図である。このミストスプレー装置１は装置内に化粧液を収容しており、この化粧液を霧化して、霧化部８から一定の時間、好適に３０分間よりも短い、より好適に１０分間よりも短い時間連続的に噴射する。
【００１４】
このミストスプレー装置１は略円筒形のハウジング２を備えている。ハウジング２内には化粧水を収容するためのタンク（図示略）、電源（図示略）、およびミスト発生部が収容されている。ミスト発生部は、化粧液を霧化するための霧化部８が形成された振動板６、霧化部８に化粧液を供給するための供給部（図示略）、振動板６を振動させるための振動発生器１０、および霧化部８を加温するための加温要素１２を備えている。
【００１５】
ミストスプレー装置１はさらにカバー４を具備している。本実施形態においては、このカバー４は、ミストスプレー装置１の長手（上下）方向において、霧化部８を開放する位置と閉鎖する位置との間でスライド移動可能とされている。カバー４はミストスプレー装置１のパワースイッチも兼ねることが可能である。その場合、カバー４が霧化部８を開放する位置に移動すると、ミストスプレー装置１が作動し、それとは逆に、カバー４が霧化部８を閉鎖する位置に移動すると、ミストスプレー装置１が停止する。
【００１６】
図２は、本発明の実施形態によるミスト発生部を示した正面図である。図３は、図２の線Ａ−Ａに沿った本発明の実施形態によるミスト発生部の断面を示した図である。ミスト発生部は、霧化部８が形成された振動板６、振動板６を振動させるための振動発生器１０、および霧化部８を加温するための加温要素１２から成る。
【００１７】
本実施形態においては、振動板６は略円形の板として形成されている。振動板６の中心には、霧化部８が形成されている。振動板は好適に金属材料、またはポリイミド等のプラスチック材料から形成されている。プラスチック材料は任意の金属アレルギーを生じないため、プラスチック材料が好適である。ポリイミドは化粧液内に共通に含まれたアルコールおよび保存料に対する耐性を備えているので、ポリイミドが特に好適である。
【００１８】
霧化部８は、振動板６を貫通した複数の微細孔から形成されている。各微細孔は、マイクロメートルのオーダーの直径を有する。各微細孔は、好適に液体供給側１４の直径よりもミスト噴出側１６の直径が大きくなったテーパ形状の軸方向断面（図４ａ）を有する。この軸方向断面は、ステップ状（図４ｂ）または指数曲線状（図４ｃ）とすることも可能である。本実施形態においては、霧化部８は略円形に且つ振動板６と同心に形成されている。
【００１９】
本実施形態においては、振動発生器１０は略環状に形成されており、振動板６および霧化部８と同心に振動板６に取り付けられている。振動発生器１０はハウジング２内に収容された電源から電力供給を受けて、振動板６を板厚方向に振動させる。この作用により、霧化部８の液体供給側１４に供給された化粧液は霧化され、ミスト噴出側１６から噴出される。本実施形態においては、振動発生器１０としてピエゾ素子が採用されているが、これに限定されるものではない。
【００２０】
本実施形態においては、振動板６には、振動板６の霧化部８を加温するための、２つの加温要素１２がさらに設けられている。本実施形態においては、２つの加温要素１２は、霧化部８の中心に関して互いに対向する位置にそれぞれ配置されている。本実施形態においては、加温要素１２としてペルチェ素子が採用されており、素子の発熱側が振動板６と接触するように取り付けられている。
【００２１】
本実施形態においては、２つの加温要素１２が、霧化部８の中心に関して互いに対向する位置にそれぞれ配置されているが、複数の加温要素が霧化部８の周囲に放射状に配置されることも可能である。また、加温要素１２は振動発生器１０と同様に環状に形成されて、霧化部８および振動発生器１０と同心に配置されることも可能である。さらに、加温要素１２として電熱要素等の電気的加温要素が採用されることも可能である。
【００２２】
次に、本実施形態によるミストスプレー装置１の動作について説明する。使用されていない状態において、ミストスプレー装置１のカバー４は霧化部８を閉鎖する位置にある。使用する場合、ユーザはカバー４をスライドさせて霧化部８を開放する。
【００２３】
霧化部８が開放されると、化粧液が供給部によって霧化部８の液体供給側１４に供給される。それと同時に、振動発生器１０には電力が供給され、振動発生器１０は振動板６を振動させることが可能である。供給された化粧液は振動板６の振動によって霧化され、ミスト噴出側１６から噴出される。
【００２４】
一方で、霧化部８が開放されると、加温要素１２にも電力が供給され得る。電力供給された加温要素１２は振動板６を通じて霧化部８を加温する。これによって、霧化部８に残留した化粧液の乾燥による粘度上昇に起因した目詰まりが生じている場合であっても、加温により化粧液の粘度が低下し、目詰まりが解消する。ミストスプレー装置は、水と比較してより高い粘度を有する化粧液、および／または乾燥により目詰りを生じる含有物を含んだ化粧液をスプレーするために、有利に使用される。そのような含有物は、例えばグリセリンのような保湿剤を含んでいる。
【００２５】
さらに、加温要素１２が振動板６を加温することによって、振動板６には熱膨張が生じる。これによって、霧化部８に形成された微細孔が広がり、噴射されるミストの粒径が拡大される。したがって、加温要素１２の温度制御を適切に行うことによって、微細孔の径を制御することが可能となり、これによって噴射されるミストの粒径を制御することが可能である。
【００２６】
一実施形態においては、好適にテーパ状、ステップ状、または指数曲線状の軸方向断面を有する微細孔が霧化部８に形成され、それらの微細孔は、液体供給側の直径よりもミスト噴出側の直径が大きくなっている。これらの断面構造を備えた微細孔は、ミストの粒子サイズが変化することを防止することが可能であり、これによってミストの粒子サイズを安定させている。
【００２７】
本発明により、ミストスプレー装置に発生した化粧液の乾燥による粘度上昇等に起因した目詰まりを容易に解消することが可能である。また、噴射される化粧液ミストの粒径を容易に制御することが可能である。
【符号の説明】
【００２８】
１  ・・・ミストスプレー装置
２  ・・・ハウジング
４  ・・・カバー
６  ・・・振動板
８  ・・・霧化部
１０  ・・・振動発生器
１２  ・・・加温要素
１４  ・・・液体供給側
１６  ・・・ミスト噴出側
【図１】
2015211713.tif 000003
【図２】
2015211713.tif 000004
【図３】
2015211713.tif 000005
【図４ａ】
2015211713.tif 000006
【図４ｂ】
2015211713.tif 000007
【図４ｃ】
2015211713.tif 000008
【外国語明細書】
2015211713000001.pdf